(57)【特許請求の範囲】
【請求項１】
第１のレンズと、第２のレンズとを、圧入ピンに固定するように構成したレンズの固定構造であって、
前記第１のレンズ及び第２のレンズにはそれぞれ、一端に第一の圧入ピンに固定するための多角形状の圧入孔を有しており、他端には第２の圧入ピンに固定するための圧入孔を有しており、
前記第１のレンズの多角形状の圧入孔と、第２のレンズの多角形状の圧入孔とは、各辺が重なり合うことがないように、圧入ピンを中心にして周方向にずらして形成されていることを特徴とするレンズの固定構造。
【発明の詳細な説明】
【０００１】
【発明の属する技術分野】
この発明は、第１のレンズと、第２のレンズとを、圧入ピンに固定するように構成したレンズの固定構造に関する。
【０００２】
【従来の技術】
この種のレンズの固定構造としては、例えばＡＴインジケータに用いたものとして、図５に示すものがある。このレンズの固定構造は、カラーレンズ（第１のレンズ）１と、ギヤの位置を示す文字が印刷された透明レンズ（第２のレンズ）２とを、圧入ピン３１ｂを介してランプケース３に固定するようになっている。
【０００３】
ランプケース３は、透明レンズ２の各文字に対応する位置に開口部３２を有しており、その開口側の端面３ａが長方形状に長く形成されている。このランプケース３内には、各開口部３２に対応する位置に図示しないランプが設けられている。圧入ピン３１ｂは、台座３１の上端面３１ａ上に立設されている。台座３１は、ランプケース３の四隅部にそれぞれ配置されており、各上端面３１ａはランプケース３の端面３ａと面一状になっている。そして、上記ランプケース３、台座３１及び圧入ピン３１ｂは、合成樹脂により一体に形成されている。
【０００４】
カラーレンズ１は、平板状に形成されたものであり、対角方向に位置する圧入ピン３１ｂに固定するための圧入孔１ａ、１ａを有している。透明レンズ２も、平板状に形成されたものであるが、カラーレンズ１を固定するものとは異なる圧入ピン３１ｂに固定するための圧入孔２ａ、２ａを有している。これらのカラーレンズ１及び透明レンズ２は、合成樹脂により形成されている。
【０００５】
【発明が解決しようとする課題】
ところが、上記レンズの固定構造においては、カラーレンズ１と、透明レンズ２とを異なる圧入ピン３１ｂに固定しているから、これらのカラーレンズ１と、透明レンズ２とにズレが発生する可能性が高いという問題があった。
【０００６】
このため、同一の圧入ピン３１ｂに、カラーレンズ１及び透明レンズ２を固定することも考えられるが、この場合には、先に圧入したカラーレンズ１によって圧入ピン３１ｂが削られ、後から圧入する透明レンズ２が圧入によって固定することができなくなったり、あるいは先に圧入したカラーレンズ１の圧入孔１ａの周囲が圧入ピン３１ｂによって反り返り、後から圧入する透明レンズ２がカラーレンズ１から浮き上がった状態になってしまうなどの問題がある。
【０００７】
この発明は上記問題を解決するためになされたものであり、その目的はレンズの固定不能や浮き上がりを防止することができるとともに、第１のレンズと第２のレンズとの位置ずれを極小に抑えることのできるレンズの固定構造を提供することにある。
【０００８】
【課題を解決するための手段】
上記目的を達成するために、この発明は、第１のレンズと、第２のレンズとを、圧入ピンに固定するように構成したレンズの固定構造であって、前記第１のレンズ及び第２のレンズにはそれぞれ、一端に第一の圧入ピンに固定するための多角形状の圧入孔を有しており、他端には第２の圧入ピンに固定するための圧入孔を有しており、前記第１のレンズの多角形状の圧入孔と、第２のレンズの多角形状の圧入孔とは、各辺が重なり合うことがないように、圧入ピンを中心にして周方向にずらして形成されていることを特徴としている。
【０００９】
そして、上記のように構成された発明においては、第１のレンズ及び第２のレンズに、同一の圧入ピンに固定するための多角形状の圧入孔を設けているから、第１のレンズと第２のレンズとの位置ずれを極小に抑えることができる。
【００１０】
しかも、第１のレンズの圧入孔と、第２のレンズの圧入孔とは各辺が重なり合うことがないように、圧入ピンを中心にして周方向にずらして形成されているから、先に圧入する例えば第１のレンズによって圧入ピンが削られたとしても、後から圧入する第２のレンズは圧入ピンの削られていない部分に圧入されることになる。このため、後から圧入する第２のレンズが圧入ピンに固定できなくなるということがない。
【００１１】
また、先に圧入した第１のレンズの圧入孔の周囲が圧入ピンによって反り返ってバリ状になったとしても、後から圧入する第２のレンズは、その圧入孔が上記反り返った部分からずれた状態になる。このため、後から圧入する第２のレンズが第１のレンズから浮き上がってしまうことがない。
【００１２】
したがって、レンズの固定不能や浮き上がりを防止することができるとともに、第１のレンズと第２のレンズとの位置ずれを極小に抑えることができる。
【００１３】
【発明の実施の形態】
以下、この発明の実施の形態を実施例に基づき図１〜図４を参照して説明する。なお、図１〜図３は第１実施例、図４は第２実施例を示している。
【００１４】
まず、図１〜図３を参照してこの発明の第１実施例を説明する。ただし、図５に示す従来例の構成要素と共通する要素には同一の符号を付し、その説明を省略する。
【００１５】
この実施例で示すレンズの固定構造は、図１〜図３に示すように、カラーレンズ（第１のレンズ）１と、透明レンズ（第２のレンズ）２とを、同一の圧入ピン３１ｂに固定するように構成したものである。圧入ピン３１ｂは、ランプケース３の一端側と他端側にそれぞれ一つずつ設けられている。
【００１６】
カラーレンズ１には、図１に示すように、各圧入ピン３１ｂ側に突出する舌片１１、１２が形成されており、各舌片１１、１２にはそれぞれ圧入ピン３１ｂに圧入により固定するための圧入孔１１ａ、１２ａが形成されている。そして、その一方の圧入孔１１ａは、正三角形状に形成されており、その一つの頂点が一方の圧入孔１１ａと他方の圧入孔１２ａとを結ぶ長さ方向の外側に向けられている。また、他方の圧入孔１２ａは、上記長さ方向に長く形成されている。
【００１７】
透明レンズ２には、各圧入ピン３１ｂ側に突出する舌片２１、２２が形成されており、各舌片２１、２２にはそれぞれ圧入ピン３１ｂに圧入により固定するための圧入孔２１ａ、２２ａが形成されている。そして、その一方の圧入孔２１ａは、正三角形状に形成されているが、その一つの頂点が上記長さ方向の内側に向けられている。すなわち、透明レンズ２の一方の圧入孔２１ａと、カラーレンズ１の一方の圧入孔１１ａとは、各辺が重なり合うことがないように、圧入ピン３１ｂを中心にして周方向に６０度ずらして形成されている。また、透明レンズ２における他方の圧入孔２２ａは、上記長さ方向に長く形成されている。
【００１８】
上記のように構成されたレンズの固定構造においては、カラーレンズ１及び透明レンズ２の一端側に、同一の圧入ピン３１ｂに固定するための正三角形状の圧入孔１１ａ、２１ａを設け、他端側に同一の圧入ピン３１ｂに固定するための長孔状の圧入孔１２ａ、２２ａを設けているから、カラーレンズ１と透明レンズ２との位置ずれを極小に抑えることができる。そして、他方の圧入孔１２ａ、２２ａを長孔状に形成しているから、寸法公差により各圧入孔１１ａ、１２ａ、２１ａ、２２ａと、各圧入ピン３１ｂとが嵌合不能になるのを防止することができる。
【００１９】
しかも、カラーレンズ１の一方の圧入孔１１ａと、透明レンズ２の一方の圧入孔２１ａとは各辺が重なり合うことがないように、圧入ピン３１ｂを中心にして周方向に６０度ずらして形成されているから、先に圧入するカラーレンズ１の圧入孔１１ａによって圧入ピン３１ｂが削られたとしても、後から圧入する透明レンズ２の圧入孔２１ａは圧入ピン３１ｂの削られていない部分に圧入することになる。このため、後から圧入する透明レンズ２が圧入ピン３１ｂに固定できなくなるということがない。
【００２０】
また、先に圧入したカラーレンズ１の圧入孔１１ａの周囲が圧入ピン３１ｂによって反り返ってバリ状になったとしても、後から圧入する透明レンズ２の圧入孔２１ａは上記反り返った部分からずれた状態になる。このため、後から圧入する透明レンズ２がカラーレンズ１から浮き上がることがない。
【００２１】
さらに、他方の圧入孔１２ａ、２２ａは、長孔状に形成されているため、圧入ピン３１ｂとの嵌合の際に、弾力的に開くことができる。このため、他方の圧入孔１２ａ、２２ａによって、圧入ピン３１ｂが削られたり、他方の圧入孔１２ａ、２２ａの周囲にバリが生じたりするのを防止することができる。
【００２２】
したがって、透明レンズ２の固定不能や浮き上がりを防止することができるとともに、カラーレンズ１と透明レンズ２との位置ずれを極小に抑えることができる。
【００２３】
次ぎに、この発明の第２実施例を図４を参照して説明する。この実施例で示すレンズの固定構造は、一方の圧入孔１１ａ、２１ａを正方形状に形成したものであり、他の構成要素については上記第１実施例と同様であるのでその説明を省略する。
【００２４】
すなわち、カラーレンズ１の一方の圧入孔１１ａと、透明レンズ２の一方の圧入孔２１ａとは、図４に示すように、正方形状に形成されたものであり、各辺が重なり合うことがないように、圧入ピン３１ｂを中心にして周方向に４５度ずらして形成されている。
【００２５】
上記のように構成されたレンズの固定構造においても、第１実施例と同様の作用効果を奏する。
【００２６】
なお、上記各実施例においては、他方の圧入孔１２ａ、２２ａを長孔状に形成したが、これらの圧入孔１２ａ、２２ａについても互いに周方向に６０度ずらした正三角形状のものや、周方向に４５度ずらした正方形状のもので構成してもよい。また、その他の多角形状に形成してもよいことはいうまでもない。
【００２７】
【発明の効果】
この発明においては、第１のレンズ及び第２のレンズに、同一の圧入ピンに固定するための多角形状の圧入孔を設けているから、第１のレンズと第２のレンズとの位置ずれを極小に抑えることができる。
【００２８】
しかも、第１のレンズの圧入孔と、第２のレンズの圧入孔とは各辺が重なり合うことがないように、圧入ピンを中心にして周方向にずらして形成されているから、先に圧入する例えば第１のレンズによって圧入ピンが削られたとしても、後から圧入する第２のレンズは圧入ピンの削られていない部分に圧入されることになる。このため、後から圧入する第２のレンズが圧入ピンに固定できなくなるということがない。
【００２９】
また、先に圧入した第１のレンズの圧入孔の周囲が圧入ピンによって反り返ってバリ状になったとしても、後から圧入する第２のレンズは、その圧入孔が上記反り返った部分からずれた状態になる。このため、後から圧入する第２のレンズが第１のレンズから浮き上がってしまうことがない。
【００３０】
したがって、レンズの固定不能や浮き上がりを防止することができるとともに、第１のレンズと第２のレンズとの位置ずれを極小に抑えることができる。
【図面の簡単な説明】
【図１】この発明の第１実施例として示したレンズの固定構造の分解斜視図。
【図２】同レンズの固定構造の要部平面図。
【図３】同レンズの固定構造の要部平面図。
【図４】この発明の第２実施例として示したレンズの固定構造の要部平面図。
【図５】従来例として示したレンズの固定構造の分解斜視図。
【符号の説明】
１  第１のレンズ（カラーレンズ）
２  第２のレンズ（透明レンズ）
３１ｂ  圧入ピン
１１ａ  圧入孔
２１ａ  圧入孔
【図１】
0003828981.tif 000002
【図２】
0003828981.tif 000003
【図３】
0003828981.tif 000004
【図４】
0003828981.tif 000005
【図５】
0003828981.tif 000006